(57)【要約】【課題】コンテンツを利用するユーザーが必要とする特典情報を適確に提供する上で有利な端末装置およびサーバー装置並びにデータ配信システムを提供する。【解決手段】端末装置２００の識別情報読み取り手段２００４は、記録媒体１０から該記録媒体１０固有の識別情報１４とサーバー装置３００のアドレス１６とを読み出す。端末側送信手段２００６は、再生手段２００２によるコンテンツ１２の再生動作が行なわれたときに識別情報読み取り手段２００４で読み取られた識別情報１４と、メモリ２１４に格納されている時刻情報とをサーバー装置３００にネットワーク１００を介して送信する。端末側受信手段２００８は前記送信された識別情報と時刻情報に基づいてサーバー装置３００によって生成された特典情報３０４Ａをネットワーク１００を介して受信する。【選択図】        図２
2005157840.tif 000002
【特許請求の範囲】
【請求項１】
サーバー装置にネットワークを介して接続可能に構成された端末装置であって、
コンテンツが格納された記録媒体から該記録媒体固有の識別情報を読み取る識別情報読み取り手段と、
前記記録媒体のコンテンツを再生する再生手段と、
前記再生手段による前記コンテンツの再生動作が行なわれたときに前記読み取り手段で読み取られた前記識別情報を前記サーバー装置に前記ネットワークを介して送信する端末側送信手段と、
前記端末側送信手段によって送信された前記識別情報と前記記録媒体のコンテンツが再生されたときの時刻情報とに基づいて前記サーバー装置によって生成された特典情報を前記ネットワークを介して受信する端末側受信手段と、
を備えることを特徴とする端末装置。
【請求項２】
前記記録媒体のコンテンツが再生されたときの時刻情報は前記サーバー装置または端末装置に設けられた計時手段で生成された時刻情報に基づいて特定されることを特徴とする請求項１記載の端末装置。
【請求項３】
前記サーバー装置では前記端末側送信手段から前記識別情報と前記時刻情報が送信されとこれら前記識別情報と前記時刻情報が関連付けて記録され、前記特典情報生成手段によって生成される特典情報は、前記識別情報に関連付けて記録された時刻情報のうち、最新となる第１の時刻情報と、該第１の時刻情報の次に新しい第２の時刻情報とによって特定される期間に対応して生成されることを特徴とする請求項１記載の端末装置。
【請求項４】
前記記録媒体には前記端末装置が前記ネットワークを介して前記サーバー装置と接続するために使用される前記サーバー装置のＵＲＬが記録されており、前記端末装置と前記サーバー装置の接続は前記端末装置が前記ＵＲＬに基づいて前記サーバー装置にアクセスすることで行なわれることを特徴とする請求項１記載の端末装置。
【請求項５】
端末装置にネットワークを介して接続可能に構成されたサーバー装置であって、
記録媒体に格納されているコンテンツが前記端末装置によって再生された際に、前記記録媒体固有の識別情報と、前記コンテンツの再生がなされた時刻を示す時刻情報とを前記端末装置から前記ネットワークを介して受信するサーバー側受信手段と、
前記サーバー側受信手段によって受信された前記識別情報と前記時刻情報に基づいて特典情報を生成する特典情報生成手段と、
前記特典情報生成手段で生成された特典情報を前記ネットワークを介して前記端末装置にネットワークを介して送信するサーバー側送信手段と、
を備えることを特徴とするサーバー装置。
【請求項６】
前記記録媒体のコンテンツが再生されたときの時刻情報は前記サーバー装置または端末装置に設けられた計時手段で生成された時刻情報に基づいて特定されることを特徴とする請求項５記載のサーバー装置。
【請求項７】
前記サーバー装置では前記端末側送信手段から前記識別情報と前記時刻情報が送信されとこれら前記識別情報と前記時刻情報が関連付けて記録され、前記特典情報生成手段によって生成される特典情報は、前記識別情報に関連付けて記録された時刻情報のうち、最新となる第１の時刻情報と、該第１の時刻情報の次に新しい第２の時刻情報とによって特定される期間に対応して生成されることを特徴とする請求項５記載のサーバー装置。
【請求項８】
前記記録媒体には前記端末装置が前記ネットワークを介して前記サーバー装置と接続するために使用される前記サーバー装置のＵＲＬが記録されており、前記端末装置と前記サーバー装置の接続は前記端末装置が前記ＵＲＬに基づいて前記サーバー装置にアクセスすることで行なわれることを特徴とする請求項５記載のサーバー装置。
【請求項９】
ネットワークを介して互いに接続可能に構成された端末装置およびサーバー装置を備えるデータ配信システムであって、
前記端末装置は、
コンテンツが格納された記録媒体から該記録媒体固有の識別情報を読み取る識別情報読み取り手段と、
前記記録媒体のコンテンツを再生する再生手段と、
前記再生手段による前記コンテンツの再生動作が行なわれたときに前記読み取り手段で読み取られた前記識別情報を前記サーバー装置に前記ネットワークを介して送信する端末側送信手段と、
前記サーバー装置から送信される情報を前記ネットワークを介して受信する端末側受信手段とを備え、
前記サーバー装置は、
記録媒体に格納されているコンテンツが前記端末装置によって再生された際に、前記記録媒体固有の識別情報と、前記コンテンツの再生がなされた時刻を示す時刻情報とを前記端末装置から前記ネットワークを介して受信するサーバー側受信手段と、
前記サーバー側受信手段によって受信された前記識別情報と前記時刻情報に基づいて特典情報を生成する特典情報生成手段と、
前記特典情報生成手段で生成された特典情報を前記ネットワークを介して前記端末装置にネットワークを介して送信するサーバー側送信手段とを備える、
ことを特徴とするデータ配信システム。
【請求項１０】
前記記録媒体のコンテンツが再生されたときの時刻情報は前記サーバー装置または端末装置に設けられた計時手段で生成された時刻情報に基づいて特定されることを特徴とする請求項９記載のデータ配信システム。
【請求項１１】
前記サーバー装置では前記端末側送信手段から前記識別情報と前記時刻情報が送信されとこれら前記識別情報と前記時刻情報が関連付けて記録され、前記特典情報生成手段によって生成される特典情報は、前記識別情報に関連付けて記録された時刻情報のうち、最新となる第１の時刻情報と、該第１の時刻情報の次に新しい第２の時刻情報とによって特定される期間に対応して生成されることを特徴とする請求項９記載のデータ配信システム。
【請求項１２】
前記記録媒体には前記端末装置が前記ネットワークを介して前記サーバー装置と接続するために使用される前記サーバー装置のＵＲＬが記録されており、前記端末装置と前記サーバー装置の接続は前記端末装置が前記ＵＲＬに基づいて前記サーバー装置にアクセスすることで行なわれることを特徴とする請求項９記載のデータ配信システム。
【請求項１３】
サーバー装置にネットワークを介して接続可能に構成された端末装置であって、
コンテンツが格納された記録媒体から該記録媒体固有の識別情報を読み取る識別情報読み取り手段と、
前記記録媒体のコンテンツを再生する再生手段と、
前記端末装置が位置している地球上における位置に対応する位置情報を生成する位置情報生成手段と、
前記再生手段による前記コンテンツの再生動作が行なわれたときに前記読み取り手段で読み取られた前記識別情報と前記位置情報生成手段で生成された前記位置情報とを前記サーバー装置に前記ネットワークを介して送信する端末側送信手段と、
前記端末側送信手段によって送信された前記識別情報と前記位置情報に基づいて前記サーバー装置によって生成された特典情報を前記ネットワークを介して受信する端末側受信手段と、
を備えることを特徴とする端末装置。
【請求項１４】
前記記録媒体に格納されているコンテンツは少なくとも映像データを含み、前記特典情報生成手段によって生成される前記特典情報は、前記記録媒体の映像データに対応する音声データおよび／または字幕データであり、かつ、前記音声データおよび／または字幕データは前記位置情報に基づいて特定される言語で表現されたものであることを特徴とする請求項１３記載の端末装置。
【請求項１５】
前記記録媒体には前記端末装置が前記ネットワークを介して前記サーバー装置と接続するために使用される前記サーバー装置のＵＲＬが記録されており、前記端末装置と前記サーバー装置の接続は前記端末装置が前記ＵＲＬに基づいて前記サーバー装置にアクセスすることで行なわれることを特徴とする請求項１３記載の端末装置。
【請求項１６】
端末装置にネットワークを介して接続可能に構成されたサーバー装置であって、
記録媒体に格納されていたコンテンツが前記端末装置によって再生された際に、前記記録媒体固有の識別情報と、前記コンテンツの再生がなされた前記端末装置が位置している地球上における位置を示す位置情報とを前記端末装置から前記ネットワークを介して受信するサーバー側受信手段と、
前記サーバー側受信手段によって受信された前記識別情報と前記位置情報に基づいて特典情報を生成する特典情報生成手段と、
前記特典情報生成手段で生成された特典情報を前記ネットワークを介して前記端末装置にネットワークを介して送信するサーバー側送信手段と、
を備えることを特徴とするサーバー装置。
【請求項１７】
前記記録媒体に格納されているコンテンツは少なくとも映像データを含み、前記特典情報生成手段によって生成される前記特典情報は、前記記録媒体の映像データに対応する音声データおよび／または字幕データであり、かつ、前記音声データおよび／または字幕データは前記位置情報に基づいて特定される言語で表現されたものであることを特徴とする請求項１６記載のサーバー装置。
【請求項１８】
前記記録媒体には前記端末装置が前記ネットワークを介して前記サーバー装置と接続するために使用される前記サーバー装置のＵＲＬが記録されており、前記端末装置と前記サーバー装置の接続は前記端末装置が前記ＵＲＬに基づいて前記サーバー装置にアクセスすることで行なわれることを特徴とする請求項１６記載のサーバー装置。
【請求項１９】
ネットワークを介して互いに接続可能に構成された端末装置およびサーバー装置を備えるデータ配信システムであって、
前記端末装置は、
コンテンツが格納された記録媒体から該記録媒体固有の識別情報を読み取る識別情報読み取り手段と、
前記記録媒体のコンテンツを再生する再生手段と、
前記端末装置が位置している地球上における位置を示す位置情報を生成する位置情報生成手段と、
前記再生手段による前記コンテンツの再生動作が行なわれたときに前記読み取り手段で読み取られた前記識別情報と前記位置情報生成手段で生成された前記位置情報とを前記サーバー装置に前記ネットワークを介して送信する端末側送信手段と、
前記サーバー装置から送信される情報を前記ネットワークを介して受信する端末側受信手段とを備え、
前記サーバー装置は、
前記端末側送信手段によって送信された前記識別情報と前記位置情報とを前記ネットワークを介して受信するサーバー側受信手段と、
前記サーバー側受信手段によって受信された前記識別情報と前記位置情報に基づいて特典情報を生成する特典情報生成手段と、
前記特典情報生成手段で生成された特典情報を前記ネットワークを介して前記端末装置にネットワークを介して送信するサーバー側送信手段と、
を備える、
ことを特徴とするデータ配信システム。
【請求項２０】
前記記録媒体に格納されているコンテンツは少なくとも映像データを含み、前記特典情報生成手段によって生成される前記特典情報は、前記記録媒体の映像データに対応する音声データおよび／または字幕データであり、かつ、前記音声データおよび／または字幕データは前記位置情報に基づいて特定される言語で表現されたものであることを特徴とする請求項１９記載のデータ配信システム。
【請求項２１】
前記記録媒体には前記端末装置が前記ネットワークを介して前記サーバー装置と接続するために使用される前記サーバー装置のＵＲＬが記録されており、前記端末装置と前記サーバー装置の接続は前記端末装置が前記ＵＲＬに基づいて前記サーバー装置にアクセスすることで行なわれることを特徴とする請求項１９記載のデータ配信システム。
【発明の詳細な説明】
【技術分野】
【０００１】
本発明は端末装置およびサーバ装置並びにデータ配信システムに関する。
【背景技術】
【０００２】
ネットワークを介して互いに接続可能に構成された端末装置およびコンテンツ配信管理装置を備えたコンテンツ配信管理システムにおいて、ユーザーが端末装置を用いてコンテンツを利用した際に、その利用回数に応じた特典をユーザーに提供することが提案されている（例えば特許文献１参照）。
このシステムでは、端末装置でコンテンツが利用されると、その情報が端末装置からネットワークを介してコンテンツ配信管理装置に送信され、これによりコンテンツ配信管理装置によって各ユーザーにおけるコンテンツの利用回数を管理できるように構成されている。
【特許文献１】特開２００２−２６８４３号公報
【発明の開示】
【発明が解決しようとする課題】
【０００３】
しかしながら上述のシステムでは、単にコンテンツの利用回数に基づいた特典を提供するのみであるため、ユーザーが必要としている特典を適確に提供する上で不利があった。
本発明はこのような事情に鑑みなされたものであり、その目的は、コンテンツを利用するユーザーが必要とする特典情報を適確に提供できユーザーの利便性を向上させる上で有利な端末装置およびサーバー装置並びにデータ配信システムを提供することにある。
【課題を解決するための手段】
【０００４】
上述の目的を達成するため、本発明の端末装置は、サーバー装置にネットワークを介して接続可能に構成された端末装置であって、コンテンツが格納された記録媒体から該記録媒体固有の識別情報を読み取る識別情報読み取り手段と、前記記録媒体のコンテンツを再生する再生手段と、前記再生手段による前記コンテンツの再生動作が行なわれたときに前記読み取り手段で読み取られた前記識別情報を前記サーバー装置に前記ネットワークを介して送信する端末側送信手段と、記端末側送信手段によって送信された前記識別情報と前記記録媒体のコンテンツが再生されたときの時刻情報とに基づいて前記サーバー装置によって生成された特典情報を前記ネットワークを介して受信する端末側受信手段とを備えることを特徴とする。
また、本発明のサーバー装置は、端末装置にネットワークを介して接続可能に構成されたサーバー装置であって、記録媒体に格納されているコンテンツが前記端末装置によって再生された際に、前記記録媒体固有の識別情報と、前記コンテンツの再生がなされた時刻を示す時刻情報とを前記端末装置から前記ネットワークを介して受信するサーバー側受信手段と、前記サーバー側受信手段によって受信された前記識別情報と前記時刻情報に基づいて特典情報を生成する特典情報生成手段と、前記特典情報生成手段で生成された特典情報を前記ネットワークを介して前記端末装置にネットワークを介して送信するサーバー側送信手段とを備えることを特徴とする。
また、本発明のデータ配信システムは、ネットワークを介して互いに接続可能に構成された端末装置およびサーバー装置を備えるデータ配信システムであって、前記端末装置は、コンテンツが格納された記録媒体から該記録媒体固有の識別情報を読み取る識別情報読み取り手段と、前記記録媒体のコンテンツを再生する再生手段と、前記再生手段による前記コンテンツの再生動作が行なわれたときに前記読み取り手段で読み取られた前記識別情報を前記サーバー装置に前記ネットワークを介して送信する端末側送信手段と、前記サーバー装置から送信される情報を前記ネットワークを介して受信する端末側受信手段とを備え、前記サーバー装置は、記録媒体に格納されているコンテンツが前記端末装置によって再生された際に、前記記録媒体固有の識別情報と、前記コンテンツの再生がなされた時刻を示す時刻情報とを前記端末装置から前記ネットワークを介して受信するサーバー側受信手段と、前記サーバー側受信手段によって受信された前記識別情報と前記時刻情報に基づいて特典情報を生成する特典情報生成手段と、前記特典情報生成手段で生成された特典情報を前記ネットワークを介して前記端末装置にネットワークを介して送信するサーバー側送信手段とを備えることを特徴とする。
また、本発明の端末装置は、サーバー装置にネットワークを介して接続可能に構成された端末装置であって、コンテンツが格納された記録媒体から該記録媒体固有の識別情報を読み取る識別情報読み取り手段と、前記記録媒体のコンテンツを再生する再生手段と、前記端末装置が位置している地球上における位置に対応する位置情報を生成する位置情報生成手段と、前記再生手段による前記コンテンツの再生動作が行なわれたときに前記読み取り手段で読み取られた前記識別情報と前記位置情報生成手段で生成された前記位置情報とを前記サーバー装置に前記ネットワークを介して送信する端末側送信手段と、前記端末側送信手段によって送信された前記識別情報と前記位置情報に基づいて前記サーバー装置によって生成された特典情報を前記ネットワークを介して受信する端末側受信手段とを備えることを特徴とする。
また、本発明のサーバー装置は、端末装置にネットワークを介して接続可能に構成されたサーバー装置であって、記録媒体に格納されていたコンテンツが前記端末装置によって再生された際に、前記記録媒体固有の識別情報と、前記コンテンツの再生がなされた前記端末装置が位置している地球上における位置を示す位置情報とを前記端末装置から前記ネットワークを介して受信するサーバー側受信手段と、前記サーバー側受信手段によって受信された前記識別情報と前記位置情報に基づいて特典情報を生成する特典情報生成手段と、前記特典情報生成手段で生成された特典情報を前記ネットワークを介して前記端末装置にネットワークを介して送信するサーバー側送信手段とを備えることを特徴とする。
また、本発明のデータ配信システムは、ネットワークを介して互いに接続可能に構成された端末装置およびサーバー装置を備えるデータ配信システムであって、前記端末装置は、コンテンツが格納された記録媒体から該記録媒体固有の識別情報を読み取る識別情報読み取り手段と、前記記録媒体のコンテンツを再生する再生手段と、前記端末装置が位置している地球上における位置を示す位置情報を生成する位置情報生成手段と、前記再生手段による前記コンテンツの再生動作が行なわれたときに前記読み取り手段で読み取られた前記識別情報と前記位置情報生成手段で生成された前記位置情報とを前記サーバー装置に前記ネットワークを介して送信する端末側送信手段と、前記サーバー装置から送信される情報を前記ネットワークを介して受信する端末側受信手段とを備え、前記サーバー装置は、前記端末側送信手段によって送信された前記識別情報と前記位置情報とを前記ネットワークを介して受信するサーバー側受信手段と、前記サーバー側受信手段によって受信された前記識別情報と前記位置情報に基づいて特典情報を生成する特典情報生成手段と、前記特典情報生成手段で生成された特典情報を前記ネットワークを介して前記端末装置にネットワークを介して送信するサーバー側送信手段とを備えることを特徴とする。
【発明の効果】
【０００５】
そのため、本発明によれば、端末装置において記録媒体のコンテンツが再生されるとその再生動作がなされた時刻情報に基づいてサーバー装置によって特典情報が生成され、該特典情報が端末装置を介してユーザーに提供されるので、コンテンツを利用するユーザーが必要とする特典を適確に提供できユーザーの利便性を向上させる上で有利となる。
また、本発明によれば、端末装置が位置している地球上における位置に対応する位置情報に基づいてサーバー装置によって特典情報が生成され、該特典情報が端末装置を介してユーザーに提供されるので、コンテンツを利用するユーザーが必要とする特典を適確に提供できユーザーの利便性を向上させる上で有利となる。
【発明を実施するための最良の形態】
【０００６】
コンテンツを利用するユーザーが必要とする特典情報を適確に提供するという目的を、コンテンツの再生動作がなされた時刻情報に基づいて特典情報を生成し提供することによって実現した。また、端末装置が位置する地球上の位置情報に基づいて特典情報を生成し提供することによって実現した。
【実施例１】
【０００７】
次に本発明の実施例１について図面を参照して説明する。
図１は実施例１のデータ配信システムを構成する端末装置およびサーバ装置の構成を示すブロック図、図２は実施例１のデータ配信システムの機能ブロック図、図３は実施例１のデータ配信システムの動作フローチャートである。
【０００８】
図１に示すように、本実施例のデータ配信システムは、インターネットを含むネットワーク１００と、端末装置２００と、サーバー装置３００とを備えている。
端末装置２００は、記録媒体１０に格納されたコンテンツ１２を再生するコンテンツ再生機能と、ネットワーク１００を介してサーバー装置３００にアクセスする通信機能とを備えている。
記録媒体１０は、ＤＶＤやＣＤなどのディスク状記録媒体で構成されており、コンテンツ１２は映像データ、音声データ、字幕データなどで構成されている。また、記録媒体１０には、該記録媒体１０固有の識別情報１４としてＵＤＩ（Ｕｎｉｑｕｅ  Ｄｉｓｋ  Ｉｄｅｎｔｉｆｉｅｒ）が記録されるとともに、サーバー装置３００のネットワーク１００上のアドレス１６（例えばＵＲＬ：Ｕｎｉｆｏｒｍ  Ｒｅｓｏｕｒｃｅ  Ｌｏｃａｔｏｒ）が記録されている。
具体的に説明すると、端末装置２００は、スピンドルモータ２０２、光ピックアップ２０４、ＲＦ回路２０６、サーボ回路２０８、信号処理回路２１０、システム制御回路２１２、メモリ２１４、操作部２１５、ディスプレイ２１６などを備えている。
スピンドルモータ２０２によって回転駆動された記録媒体１０に対して光ピックアップ２０２によって検知光が照射されることで検出信号が生成され、ＲＦ回路２０４によって前記検出信号からＲＦ信号が生成される。サーボ回路２０８は、スピンドルモータ２０２に回転駆動用の駆動信号を供給して回転サーボ制御を行なうとともに、光ピックアップ２０４のアクチュエータ駆動用の駆動信号を供給することでトラッキングサーボ制御およびフォーカスサーボ制御を行なう。
信号処理回路２１０は、前記ＲＦ信号をデコードすることでコンテンツ１２、識別情報１４、およびアドレス１６を読み出す。
【０００９】
システム制御回路２１２は、光ピックアップ２０２から供給されるＲＦ信号や検出信号に基づいてサーボ回路２０８を制御するとともに、ＲＦ信号に基づいてコンテンツ１２を構成する映像データ、音声データ、字幕データなどを再生しディスプレイ２１６やスピーカー（不図示）などの音声再生手段に供給する。
さらに、システム制御回路２１２は、ＣＰＵ、データ入力装置、データ出力装置、データ記憶装置、データ通信装置などを有するいわゆるコンピュータとしての機能を有しており、サーバー装置３００とネットワーク１００を介して接続可能に構成されており、記録媒体１０が再生される毎にシステム制御回路２１２がサーバー装置３００に接続されるとともに、ブラウザが立ち上げられ該ブラウザによりサーバー装置３００によって構成されるウェブサイト３０２にアクセスがなされ、これによりシステム制御回路２１２とサーバー装置３００との間で情報の授受が行なわれる。ウェブサイト３０２の内容は前記ブラウザを介してディスプレイ２１６に表示される。
また、システム制御回路２１２は、サーバー装置３００からネットワーク１００を介して端末装置２００に供給される年月日および時分秒を含む時刻情報をメモリ２１４に格納するとともに、該メモリ２１４に格納されている時刻情報をサーバー装置３００に送信するように構成されている。
操作部２１５は、システム制御部２１２に接続された種々の操作スイッチ、キーボード、マウスなどを含む入力装置によって構成され、端末装置２００に対する入力動作を行なうためのものである。
【００１０】
サーバー装置３００も、いわゆるコンピュータとしての機能を有しており、ウェブサイト３０２、データベース３０４、計時回路３０６などを備えている。
ウェブサイト３０２は、端末装置２００によってアクセスされることで情報の授受を行なうためのものであり、具体的にはサーバー装置３００がウェブサイト用のプログラムを実行することにより実現されるものである。
データベース３０４は、記録媒体１０の識別情報１４に対応した特典情報３０４Ａを格納するものであり、具体的にはサーバー装置３００がデータベース用のプログラムを実行することにより実現されるものである。
特典情報３０４Ａは、記録媒体１０を利用（視聴）するユーザーにとって有益な情報であり、例えば記録媒体１０に格納されているコンテンツ１２のアーティストの新譜情報などである。データベース３０４には、このような新譜情報が随時更新して登録されており、新譜情報はそれが登録された登録時間（年月日および時分秒）を含んで構成されている。
計時回路３０６は、時間を計時して年月日および時分秒を含む時刻情報を生成するものであり、この時刻情報はネットワーク１００を介して端末装置２００に供給されるようになっている。
【００１１】
本実施例のデータ配信システム１は機能的には図２に示すように構成されている。
端末装置２００は、再生手段２００２、識別情報読み取り手段２００４、端末側送信手段２００６、端末側受信手段２００８を備えている。
再生手段２００２は、記録媒体１０のコンテンツ１２を再生するものであって、スピンドルモータ２０２、光ピックアップ２０４、ＲＦ回路２０６、サーボ回路２０８、信号処理回路２１０、システム制御回路２１２から構成されている。
識別情報読み取り手段２００４は、記録媒体１０から該記録媒体１０固有の識別情報１４とサーバー装置３００のアドレス１６とを読み出すものであって、スピンドルモータ２０２、光ピックアップ２０４、ＲＦ回路２０６、サーボ回路２０８、信号処理回路２１０、システム制御回路２１２から構成されている。
端末側送信手段２００６は、再生手段２００２によるコンテンツ１２の再生動作が行なわれたときに識別情報読み取り手段２００４で読み取られた識別情報１４と、メモリ２１４に格納されている時刻情報とをサーバー装置３００にネットワーク１００を介して送信するものであって、システム制御回路２１２から構成されている。
端末側受信手段２００８は、端末側送信手段２００６によって送信された識別情報と時刻情報に基づいてサーバー装置３００によって生成された特典情報３０４Ａをネットワーク１００を介して受信するものであって、システム制御回路２１２から構成されている。
【００１２】
サーバー装置３００は、計時手段３００２と、特典情報生成手段３００４と、サーバー側受信手段３００６と、サーバー側送信手段３００８とを備えている。
計時手段３００２は、時間を計時して時刻情報を生成するものであり、計時回路３０６によって構成されている。
サーバ側受信手段３００６は、端末側送信手段２００６によって送信された識別情報１４と時刻情報とをネットワーク１００を介して受信するものであり、ウェブサイト３０２によって構成されている。
特典情報生成手段３００４は、サーバー側受信手段３００６によって受信された識別情報１４と時刻情報とに基づいて特典情報３０４Ａを生成するものであり、データベース３０４によって構成されている。
サーバー側送信手段３００８は、特典情報生成手段３００４で生成された特典情報３０４Ａを、ネットワーク１００を介して端末装置２００に送信するものであり、ウェブサイト３０２によって構成されている。
【００１３】
次に、データ配信システム１の動作について図３のフローチャートを参照して説明する。
端末装置２００の再生手段２００２によって記録媒体１０の再生が行なわれると、識別情報読み取り手段２００４によって記録媒体１０から識別情報１４とアドレス情報１６が読み出される（ステップＳ１００）。
そして、端末側送信手段２００６によってブラウザが立ち上げられステップＳ１００で読み出されたアドレス情報１６に基づいてウェブサイト３０２に対するアクセスがなされ、識別情報１４が送信される（ステップＳ１０２）。
サーバ装置３００のサーバー側受信手段３００６が識別情報１４を受信すると、その時点で計時手段３００２によって生成された時刻情報がサーバ側送信手段３００８によって端末装置２００に送信される（ステップＳ２００）。
端末装置２００の端末側受信手段２００８によって前記時刻情報が受信されると、システム制御回路２１４によって、識別情報１４と受信された前記時刻情報とを関連付けてメモリ２１４に格納する（ステップＳ１０４）。
このような時刻情報のメモリ２１４に対する記録動作は、記録媒体１０の再生がなされる毎に行なわれ、したがって、同一の記録媒体１０が再生されると、その記録媒体１０の識別情報１４に関連付けて時刻情報が順次記録されることになる。本実施例では、識別情報１４に関連付けてメモリ２１４に記録された時刻情報のうち、最新となる時刻情報（今回の時刻情報）が第１の時刻情報であり、前記第１の時刻情報の次に新しい時刻情報（前回の時刻情報）が第２の時刻情報である。
次いで、端末装置２００の端末側送信手段２００６は、その時点でメモリ２１４に格納されている識別情報１４と該識別情報１４に関連付けられた前記第１、第２の時刻情報とを読み出してサーバー装置３００に送信する（ステップＳ１０８）。
サーバー側受信手段３００６が識別情報１４と前記第１、第２の時刻情報とを受信すると、特典情報生成手段３００４は、識別情報１４と第１、第２の時刻情報とに基づいて該識別情報１４に対応する特典情報３０４Ａとしての新譜情報の有無を判断する（ステップＳ２０２）。すなわち、前回の時刻（第２の時刻情報によって示される時刻）から今回の時刻（第１の時刻情報によって示される時刻）の期間に、この記録媒体１０のコンテンツ１２のアーティストによって発表された新たな記録媒体の新譜情報をデータベース３０４Ａから検索する。この検索は、ステップＳ１０８によって送信された識別情報１４をキーにしてアーティストを特定し、該特定したアーティストをキーにして前記新譜情報を絞り込み、前記第１、第２の時刻情報から求められた前記期間に該当する前記新譜情報の登録時間を検索することによって行なうことができ、言い換えればこのような検索によって特典情報３０４Ａの生成がなされる。
このような検索によって新譜情報が無いと判断された場合には（ステップＳ２０２で“Ｎ”）、特典情報３０４Ａが無い旨の情報がサーバー側送信手段３００８から端末側受信手段２００８に送信される（ステップＳ２０４）。
端末側受信手段２００８が前記新譜情報が無い旨の情報を受信すると、該情報がシステム制御回路２１２によってディスプレイ２１６に表示され（ステップＳ１１０）、動作を終了する。
一方、ステップＳ２０２で新譜情報が有ると判断された場合には（ステップＳ２０２で“Ｙ”）、検索された特典情報３０４Ａがサーバー側送信手段３００８から端末側受信手段２００８に送信される（ステップＳ２０６）。
端末側受信手段２００８が前記特典情報３０４Ａを受信すると、システム制御回路２１２は、該特典情報３０４Ａをィスプレイ２１６に表示されテップＳ１１０）、動作を終了する。このような特典情報３０４Ａの出力形態は任意であり、例えば不図示のプリンタ装置をシステム制御回路２１２に接続し、プリンタ装置から特典情報３０４Ａを印刷出力してもよい。
【００１４】
本実施例によれば、端末装置２００において記録媒体１０のコンテンツ１２が再生されるとその再生動作がなされた時刻情報に基づいてサーバー装置３００によって特典情報３０４Ａが生成され、該特典情報３０４Ａが端末装置２００を介してユーザーに提供されるので、コンテンツを利用するユーザーが必要とする特典を適確に提供できユーザーの利便性を向上させる上で有利となる。
なお、特典情報３０４Ａは新譜情報に限られるものではなく、識別情報１４と時刻情報に関連付けることができる情報であればよく、特典情報３０４Ａの他の例として、当該アーティストのコンサートの告知情報、コンサートの割引情報（印刷出力することで割り引きチケットとして利用できる情報）などが考えられる。この場合には、前記新譜情報とは違い、前述した第１の時刻情報のみがわかれば、該第１の時刻情報に対応する特典情報３０４Ａを選ぶことができるので、第１の時刻情報のみに基づいて特典情報３０４Ａの検索（生成）を行なえばよいことになる。
また、本実施例では、時刻情報を生成する計時手段３００２としてサーバー装置３００に設けた計時回路３０６を用いたので、複数の端末装置２００間における時刻情報の誤差が生じないため、時刻情報を正確に管理する上で有利となる。
しかしながら、計時手段を端末装置２００側に設けてもよく、この場合には、時刻情報をサーバー装置３００から端末装置２００に送信するステップが不要となるので通信処理を簡素化する上で有利となる。
【実施例２】
【００１５】
次に本発明の実施例２について図面を参照して説明する。
実施例２が実施例１と異なるのは、特典情報が端末装置が位置している地球上における位置を示す位置情報に基づいて生成される点である。
図４は実施例２のデータ配信システムを構成する端末装置およびサーバ装置の構成を示すブロック図、図５は実施例２のデータ配信システムの機能ブロック図、図６は実施例２のデータ配信システムの動作フローチャートである。以下では実施例１と同一または同様の部分には同一の符号を付してその説明を省略する。
【００１６】
図４に示すように、本実施例のデータ配信システム１Ａは、インターネットを含むネットワーク１００と、端末装置２００Ａと、サーバー装置３００Ａとを備えている。
端末装置２００Ａは、実施例１と同様にスピンドルモータ２０２、光ピックアップ２０４、ＲＦ回路２０６、サーボ回路２０８、信号処理回路２１０、システム制御回路２１２、ディスプレイ２１６に加えて、ＧＰＳセンサ２１８、特典情報記憶部２２０、ＭＰＥＧデコーダ２２２、第１スイッチ手段２２４、第２スイッチ手段２２６、混合器２２８、ＣＲＴ２３０を備え、また、システム制御回路２１２は実施例１と同様にコンピュータとしての機能を有している。
本実施例においても、記録媒体１０には、識別情報１４、サーバー装置３００Ａのネットワーク１００上のアドレス１６（ＵＲＬ）が記録されている。
記録媒体１０のコンテンツ１２は映像データ、音声データ、字幕データなどで構成されており、記録媒体１０にはエリアコード（リージョンコード）が記録されている。音声データは台詞やナレーションを含むものである。
前記エリアコードは、複数の国をグループ化することで設定された複数の地区のそれぞれに対応付けて設定されたコードである。現在、ＤＶＤなどの記録媒体１０では、該記録媒体１０に記録されているエリアコードと、記録媒体１０を再生するプレーヤーに設定されているエリアコードとが一致すると、該プレーヤーによる記録媒体１０の再生動作が許可されるが、前記エリアコードが不一致だと、プレーヤーによる記録媒体１０の再生動作が禁止されるようになっている。
また、ＤＶＤなどの記録媒体１０には、通常複数種類の言語による音声データおよび字幕データが記録されており、プレーヤーによって記録媒体１０を再生する際には、希望する言語を選択することにより、所望の言語による音声データおよび字幕データを用いた再生動作が行なわれるようになっている。そして、記録媒体１０に収録されている音声データおよび字幕データの言語の種類は、記録媒体１０の記憶容量が限られていることから、通常２種類程度である。
【００１７】
ＧＰＳセンサ２１８は、Ｇｌｏｂａｌ  Ｐｏｓｉｔｉｏｎｉｇ  Ｓｙｓｔｅｍを利用して人工衛星から発信される電波を受信することで端末装置１０が位置している地球上における位置を示す位置情報（例えば緯度経度情報）を生成するものであり、後述する位置情報生成手段２０１０の一部を構成している。
特典情報記憶部２２０は、サーバー装置３００Ａからネットワーク１００を介して供給される特典情報を格納するためのものであり、メモリあるいはハードディスク装置などで構成することができる。本実施例において、特典情報記憶部２２０に格納される特典情報は、音声データおよび字幕データである。
ＭＰＥＧデコーダ２２２は、記録媒体１０から読み出された映像データ、音声データ、字幕データをデコードするためのものである。
第１スイッチ手段２２４は、ＭＰＥＧデコーダ２２２から供給される音声データと、特典情報記憶部２２０から供給される音声データとをシステム制御回路２１２から入力される制御信号に基づいて切り替え不図示の音声出力手段に供給するように構成されている。
第２スイッチ手段２２６は、ＭＰＥＧデコーダ２２２から供給される字幕データと、特典情報記憶部２２０から供給される字幕データとをシステム制御回路２１２から入力される制御信号に基づいて切り替え混合器２２８を介してＣＲＴ２３０に供給するように構成されている。
混合器２２８は、ＭＰＥＧデコーダ２２２から供給される映像データと、第２スイッチ手段２２６から供給される字幕データとを合成して表示装置としてのＣＲＴ２３０に供給して表示させるように構成されている。
【００１８】
サーバー装置３００は、ウェブサイト３０２およびデータベース３０８を備え、いわゆるコンピュータとしての機能を有している。
ウェブサイト３０２は、端末装置２００によってアクセスされることで情報の授受を行なうためのものである。
データベース３０８は、記録媒体１０の識別情報１４に対応した特典情報３０８Ａを格納するものである。さらに詳細に説明すると、特典情報３０８Ａは、記録媒体１０に格納されているコンテンツ１２に対応する音声データおよび字幕データであって、複数のエリアコードあるいは全てのエリアコードに対応する言語によって構成されている。したがって、記録媒体１０の識別情報１４と、エリアコードとをキーにしてデータべース３０４を検索することによって、識別情報１４に対応するコンテンツ１２の音声データおよび字幕データから任意のエリアコード、すなわち任意の言語に対応する音声データおよび字幕データを特典情報３０８Ａとして読み出すことができるように構成されている。
また、特典情報３０８Ａを構成する音声データおよび字幕データは、端末装置２００において、記録媒体１０から読み出された映像データに対して時間的に同期して再生される必要がある。このため、前記音声データおよび字幕データには、前記映像データと同期して再生するための情報が付加されており、この情報としては例えば映像データの経過時間が用いられている。この経過時間は映像データが再生される際に端末装置２００のシステム制御回路２１２によって計時されるものである。
【００１９】
本実施例のデータ配信システム１は機能的には図４に示すように構成されており、以下では実施例１と相違する点について説明する。
端末装置２００Ａは、再生手段２００２、識別情報読み取り手段２００４、端末側送信手段２００６、端末側受信手段２００８、位置情報生成手段２０１０を備えている。
再生手段２００２は実施例１と同様に構成され、記録媒体１０のコンテンツ１２を再生するものである。
識別情報読み取り手段２００４は、実施例１と同様に構成され、記録媒体１０から該記録媒体１０固有の識別情報１４とサーバー装置３００のアドレス１６とを読み出すことに加えて、記録媒体１０に格納されているエリアコードを第１のエリアコードとして読み出すように構成されている。
構成されている。
位置情報生成手段２０１０は、端末装置２００が位置している地球上における位置に対応する位置情報としてのエリアコードを生成するものであって、ＧＰＳセンサ２１８およびシステム制御回路２１２によって構成されている。さらに詳しく説明すると、ＧＰＳセンサ２１８によって生成された緯度経度情報に基づいて前記エリアコードを特定するように構成されている。
端末側送信手段２００６は、再生手段２００２によるコンテンツ１２の再生動作が行なわれたときに識別情報読み取り手段２００４で読み取られた識別情報１４と、位置情報生成手段２０１０によって生成された第２のエリアコードとをサーバー装置３００にネットワーク１００を介して送信するものであって、システム制御回路２１２から構成されている。
端末側受信手段２００８は、端末側送信手段２００６によって送信された識別情報と第２のエリアコードに基づいてサーバー装置３００によって生成された特典情報３０４Ａをネットワーク１００を介して受信するものであって、システム制御回路２１２から構成されている。
【００２０】
サーバー装置３００Ａは、特典情報生成手段３００４と、サーバー側受信手段３００６と、サーバー側送信手段３００８とを備えている。
サーバー側受信手段３００６は、記録媒体１０に格納されていたコンテンツ１２が端末装置２００によって再生された際に、記録媒体固有の識別情報１４と、コンテンツ１２の再生がなされた端末装置２００が位置している地球上における位置に対応する位置情報とを端末装置２００からネットワーク１００を介して受信するように構成されており、ウェブサイト３０２によって構成されている。
特典情報生成手段３００４は、サーバー側受信手段３００６によって受信された識別情報１４と前記位置情報に基づいて特典情報３０８Ａを生成するように構成されており、データベース３０８によって構成されている。
サーバー側送信手段３００８は、特典情報生成手段３００４で生成された特典情報３０８Ａをネットワーク１００を介して端末装置２００にネットワーク１００を介して送信するように構成されており、ウェブサイト３０２によって構成されている。
【００２１】
次に、本実施例におけるデータ配信システム１の動作について図６のフローチャートを参照して説明する。
以下では、端末装置２００および記録媒体１０に同一のエリアコードが設定されているものとして説明する。
端末装置２００Ａにより記録媒体１０の再生動作を開始すると、識別情報読み取り手段２００４によって記録媒体２００Ａから識別情報１４、アドレス情報１６およびエリアコードが読み出され取得される（ステップＳ３００）。
そして、位置情報生成手段２０１０によってＧＰＳセンサ２１８から位置情報が取得され、該位置情報に基づいてエリアコードが生成される（ステップＳ３０２、Ｓ３０４）。
次に、ステップＳ３００で取得されたエリアコードと、ステップＳ３０４で生成されたエリアコードとが比較される（ステップＳ３０６）。
各エリアコードが一致すると判定された場合には、記録媒体１０に格納されている音声データおよび字幕データが選択され（ステップＳ３０８）、第１のスイッチ手段２２４、２２６がそれぞれＭＰＥＧデコーダ２２２側に切り替えられ（ステップＳ３１０）、コンテンツ１２の再生が行なわれる（ステップＳ３１２）。
一方、ステップＳ３０６で各エリアコードが不一致であると判定された場合には、端末側送信手段２００６によってブラウザが立ち上げられステップＳ３００で読み出されたアドレス情報１６に基づいてウェブサイト３０２に対するアクセスがなされ、識別情報１４およびエリアコードがサーバ装置３００に送信される（ステップＳ３１４）。
サーバ装置３００側では、サーバー側受信手段３００６が端末装置２００の識別情報１４およびエリアコードを受信すると、この受信した識別情報１４と前記位置情報に基づいて特典情報生成手段３００４が特典情報３０８Ａを生成し、この特典情報３０８Ａをサーバー側送信手段３００８が端末装置２００に送信する。
サーバー装置３００から送信された特典情報３０８Ａが端末装置２００の端末側受信手段２００８によって受信されると、該特典情報３０８Ａは特典情報記憶手段２２０に格納される（ステップＳ３１６）。
そして、特典情報記憶手段２２０に格納されている音声データおよび字幕データが選択され、第１のスイッチ手段２２４、２２６がそれぞれ特典情報記憶手段２２０側に切り替えられ（ステップＳ３１８）、音声データおよび字幕データが映像データと時間的に同期して混合器２２８を介してＣＲＴ２３０に出力され（ステップＳ３２０）、コンテンツ１２の再生が行なわれる（ステップＳ３１２）。
したがって、記録媒体１０に格納されているエリアコードが現在端末装置２００が位置している位置のエリアコードと一致しない場合には、現在端末装置２００が位置している位置のエリアコードによって特定される言語による音声データおよび字幕データによってコンテンツ１２の再生が行なわれる。
【００２２】
本実施例によれば、端末装置２００Ａが位置している地球上における位置に対応する位置情報に基づいてサーバー装置３００Ａによって特典情報が生成され、該特典情報が端末装置２００を介してユーザーに提供されるので、端末装置２０が現在位置している位置情報に対応して必要とする特典を適確に提供できユーザーの利便性を向上させる上で有利となる。
なお、特典情報は音声データおよび字幕データの双方または何れか一方で構成されるものであってもよい。
また、実施例１、２において、記録媒体１０としてディスク状記録媒体を例示したが、記録媒体１０はディスク状記録媒体に限定されるものではなく、例えば磁気ディスクや磁気テープ、あるいはＩＣカードなどであってもよい。
【図面の簡単な説明】
【００２３】
【図１】実施例１のデータ配信システムを構成する端末装置およびサーバ装置の構成を示すブロック図である。
【図２】実施例１のデータ配信システムの機能ブロック図である。
【図３】実施例１のデータ配信システムの動作フローチャートである。
【図４】実施例２のデータ配信システムを構成する端末装置およびサーバ装置の構成を示すブロック図である。
【図５】実施例２のデータ配信システムの機能ブロック図である。
【図６】実施例２のデータ配信システムの動作フローチャートである。
【符号の説明】
【００２４】
１０……記録媒体、１００……ネットワーク、２００……端末装置、３００……サーバー装置、２００２……再生手段、２００４……識別情報読み取り手段、２００６……端末側送信手段、２００８……端末側受信手段、２０１０……位置情報生成手段、３００２……計時手段、３００４……特典情報生成手段、３００６……サーバー側受信手段、３００８……サーバー側送信手段。
【図１】
2005157840.tif 000003
【図２】
2005157840.tif 000004
【図３】
2005157840.tif 000005
【図４】
2005157840.tif 000006
【図５】
2005157840.tif 000007
【図６】
2005157840.tif 000008